(57)【要約】【課題】レンズ鏡筒の鏡筒長を短縮する際に確実に、鏡筒長をその最短長まで短縮することができるレンズ鏡筒及びそれを備える撮像装置を提供する。【解決手段】本発明のレンズ鏡筒は、第１レンズ（２）と該第１レンズ（２）とは異なる第２レンズ（１）とを有する光学系と、前記第１レンズ（２）を前記光学系の光軸（Ｏ）方向に沿った第１位置と該第１位置とは異なる第２位置とに移動させる第１駆動部材（５）と、前記第２レンズ（１）を前記光軸（Ｏ）方向に沿って移動させる第２駆動部材（１２，１３）と、前記第１レンズ（２）が前記第１位置から前記第２位置へ移動することを選択的に制限するとともに、該制限を解除した状態で前記第１駆動部材（５）と前記第２駆動部材（１２，１３）とを一体的に連係させる切換部材（２０Ａ，２０Ｂ）とを備えること、を特徴とするレンズ鏡筒（１２０）である。【選択図】図６
2010113108.tif 000002
【特許請求の範囲】
【請求項１】
第１レンズと該第１レンズとは異なる第２レンズとを有する光学系と、
前記第１レンズを前記光学系の光軸方向に沿った第１位置と該第１位置とは異なる第２位置とに移動させる第１駆動部材と、
前記第２レンズを前記光軸方向に沿って移動させる第２駆動部材と、
前記第１レンズが前記第１位置から前記第２位置へ移動することを選択的に制限するとともに、該制限を解除した状態で前記第１駆動部材と前記第２駆動部材とを一体的に連係させる切換部材とを備えること、
を特徴とするレンズ鏡筒。
【請求項２】
請求項１に記載のレンズ鏡筒であって、
前記第２駆動部材を駆動する駆動手段と、
前記駆動手段の駆動力を前記第２駆動部材に伝達する伝達手段とを有し、
前記切換部材は、前記第１駆動部材と前記第２駆動部材とを一体的に連係する際に前記伝達手段による駆動力の伝達を解除すること、
を特徴とするレンズ鏡筒。
【請求項３】
請求項１又は２に記載のレンズ鏡筒であって、
前記第１駆動部材は、前記第２駆動部材と連係している状態で前記第１レンズと前記第２レンズとを移動させること、
を特徴とするレンズ鏡筒。
【請求項４】
請求項１〜３のいずれか１項に記載のレンズ鏡筒であって、
前記第１駆動部材によって前記第１レンズを前記第１位置から前記第２位置へ移動させることによって、前記レンズ鏡筒の長さを短縮すること、
を特徴とするレンズ鏡筒。
【請求項５】
請求項１〜４のいずれか１項に記載のレンズ鏡筒であって、
前記第１レンズを前記第１位置から前記第２位置まで移動するための前記第１駆動部材の第１移動量と、前記第２レンズを移動するための前記第２駆動部材の第２移動量とが等しいこと、
特徴とするレンズ鏡筒。
【請求項６】
請求項１〜４のいずれか１項に記載のレンズ鏡筒であって、
前記第１レンズを前記第１位置から前記第２位置まで移動するための前記第１駆動部材の第１移動量よりも、前記第２レンズを移動するための前記第２駆動部材の第２移動量の方が小さい場合に、前記切換部材と前記第２駆動部材との係合部に間隙を設けること、
を特徴とするレンズ鏡筒。
【請求項７】
請求項１〜４のいずれか１項に記載のレンズ鏡筒であって、
前記第１レンズを前記第１位置から前記第２位置まで移動するための前記第１駆動部材の第１移動量よりも、前記第２レンズを移動するための前記第２駆動部材の第２移動量の方が大きい場合に、前記切換部材によって前記第１駆動部材と前記第２駆動部材とを係合させる際に第２駆動部材を移動させること、
を特徴とするレンズ鏡筒。
【請求項８】
請求項１〜７のいずれか１項に記載のレンズ鏡筒を備える撮像装置。
【発明の詳細な説明】
【技術分野】
【０００１】
本発明は、レンズ鏡筒及びそれを備えた撮像装置に関するものである。
【背景技術】
【０００２】
従来、ズームレンズ鏡筒の携帯性や不使用時の収納性を向上させるために、レンズ群の間隔を合焦不可能な位置関係にまで狭めて鏡筒長を縮めることが可能なレンズ鏡筒が知られている（例えば、特許文献１参照）。
【特許文献１】特開平２−２５８１５号公報
【発明の開示】
【発明が解決しようとする課題】
【０００３】
レンズ鏡筒の中には、手動によるズーム環の操作によってズーミングが可能であるが、フォーカシングはカメラボディより自動制御され、手動によるフォーカシングが不可能なレンズ鏡筒もある。このようなレンズ鏡筒において、フォーカシングレンズが最も被写体側にある状態で、例えば、レンズ鏡筒をカメラボディから取り外してしまうと、レンズ鏡筒を最短長まで縮めようとしても、フォーカシングレンズが被写体側へ繰り出したままとなってしまい、最短長まで縮めることができないという問題があった。
【０００４】
本発明の課題は、レンズ鏡筒の鏡筒長を短縮する際に確実に、鏡筒長をその最短長まで短縮することができるレンズ鏡筒及びそれを備える撮像装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、第１レンズ（２）と該第１レンズ（２）とは異なる第２レンズ（１）とを有する光学系と、前記第１レンズ（２）を前記光学系の光軸（Ｏ）方向に沿った第１位置と該第１位置とは異なる第２位置とに移動させる第１駆動部材（５）と、前記第２レンズ（１）を前記光軸（Ｏ）方向に沿って移動させる第２駆動部材（１２，１３）と、前記第１レンズ（２）が前記第１位置から前記第２位置へ移動することを選択的に制限するとともに、該制限を解除した状態で前記第１駆動部材（５）と前記第２駆動部材（１２，１３）とを一体的に連係させる切換部材（２０Ａ，２０Ｂ）とを備えること、を特徴とするレンズ鏡筒（１２０）である。
請求項２に記載の発明は、請求項１に記載のレンズ鏡筒（１２０）であって、前記第２駆動部材（１２，１３）を駆動する駆動手段（１６）と、前記駆動手段（１６）の駆動力を前記第２駆動部材（１２，１３）に伝達する伝達手段（２０Ｃ）とを有し、前記切換部材（２０Ａ，２０Ｂ）は、前記第１駆動部材（５）と前記第２駆動部材（１２，１３）とを一体的に連係する際に前記伝達手段（２０Ｃ）による駆動力の伝達を解除すること、を特徴とするレンズ鏡筒（１２０）である。
請求項３に記載の発明は、請求項１又は２に記載のレンズ鏡筒（１２０）であって、前記第１駆動部材（５）は、前記第２駆動部材（１２，１３）と連係している状態で前記第１レンズ（２）と前記第２レンズ（１）とを移動させること、を特徴とするレンズ鏡筒（１２０）である。
請求項４に記載の発明は、請求項１〜３のいずれか１項に記載のレンズ鏡筒（１２０）であって、前記第１駆動部材（５）によって前記第１レンズ（２）を前記第１位置から前記第２位置へ移動させることによって、前記レンズ鏡筒（１２０）の長さを短縮すること、を特徴とするレンズ鏡筒（１２０）である。
請求項５に記載の発明は、請求項１〜４のいずれか１項に記載のレンズ鏡筒（１２０）であって、前記第１レンズ（２）を前記第１位置から前記第２位置まで移動するための前記第１駆動部材（５）の第１移動量（θ１）と、前記第２レンズ（１）を移動するための前記第２駆動部材（１２，１３）の第２移動量（θ２）とが等しいこと、特徴とするレンズ鏡筒（１２０）である。
請求項６に記載の発明は、請求項１〜４のいずれか１項に記載のレンズ鏡筒（１２０）であって、前記第１レンズ（２）を前記第１位置から前記第２位置まで移動するための前記第１駆動部材（５）の第１移動量（θ１）よりも、前記第２レンズ（１）を移動するための前記第２駆動部材（１２，１３）の第２移動量（θ２）の方が小さい場合に、前記切換部材（２０Ａ，２０Ｂ）と前記第２駆動部材（１２，１３）との係合部に間隙（θ３）を設けること、を特徴とするレンズ鏡筒（１２０）である。
請求項７に記載の発明は、請求項１〜４のいずれか１項に記載のレンズ鏡筒（１２０）であって、前記第１レンズ（２）を前記第１位置から前記第２位置まで移動するための前記第１駆動部材（５）の第１移動量（θ１）よりも、前記第２レンズ（１）を移動するための前記第２駆動部材（１２，１３）の第２移動量（θ２）の方が大きい場合に、前記切換部材（２０Ａ，２０Ｂ）によって前記第１駆動部材と前記第２駆動部材（１２，１３）とを係合させる際に第２駆動部材（１２，１３）を移動させること、を特徴とするレンズ鏡筒（１２０）である。
請求項８に記載の発明は、請求項１〜７のいずれか１項に記載のレンズ鏡筒（１２０）を備える撮像装置（１００）である。
なお、符号を付して説明した構成は、適宜改良してもよく、また、少なくとも一部を他の構成物に代替してもよい。
【発明の効果】
【０００７】
本発明によれば、レンズ鏡筒の鏡筒長を短縮する際に確実に、鏡筒長をその最短長まで短縮することができるレンズ鏡筒及びそれを備える撮像装置を提供することができる。
【発明を実施するための最良の形態】
【０００８】
以下、図面等を参照して、本発明の実施形態について説明する。なお、以下に示す各図には、説明と理解を容易にするために、ＸＹＺ直交座標系を設けた。この座標系では、撮影者が光軸Ｏを水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は、本発明の一実施形態のカメラ１００を示す図である。カメラ１００は、カメラボディ１１０と、カメラボディ１１０に対して着脱可能な交換レンズであるレンズ鏡筒１２０と、を備えている。
【００１０】
レンズ鏡筒１２０は、略円筒形状であって一方の端部にカメラボディ１１０に着脱可能とする、例えばバヨネット式のマウント部３（図２から図４参照）を備えるズームレンズである。カメラボディ１１０は、レンズ鏡筒１２０側の側面に、レンズ鏡筒１２０をカメラボディ１１０から取り外し可能とする着脱ボタン１１１と不図示のマウント部とを備え、内部に不図示の撮像素子等を備えている。カメラボディ１１０にレンズ鏡筒１２０が装着された状態において、使用者が着脱ボタン１１１を押すと、マウント部分の係合が外れ、レンズ鏡筒１２０をカメラボディ１１０から取り外すことが可能となる。
【００１１】
図２から図４は、レンズ鏡筒１２０の断面図である。図２は、レンズ鏡筒１２０の鏡筒長が最短となる収納状態を示し、図３（ａ）は、ワイド端において無限遠に合焦した状態、図３（ｂ）は、ワイド端において至近に合焦した状態を示す。図４（ａ）は、テレ端において無限遠に合焦した状態を示し、図４（ｂ）は、テレ端において至近に合焦した状態を示す。なお、図２から図４では、理解を容易にするために、レンズ鏡筒１２０の光軸Ｏを含む断面のうち、光軸Ｏに対して一方側のみを示す。
【００１２】
レンズ鏡筒１２０の内部には、Ｚプラス側に第１レンズ群１が配置され、Ｚマイナス側に第２レンズ群２が配置されている。この第１レンズ群１と第２レンズ群２とにより、カメラボディ１１０内に備えられた撮像素子の表面に被写体像が形成される。
【００１３】
また、レンズ鏡筒１２０は、外固定筒４、ズーム環５、連動板６（図２参照）、内固定筒７、カム筒８、移動枠９、第２レンズ群２を保持する第２保持枠１０、筒部材１１、第１レンズ群１を保持する第１保持枠１２、フォーカス連動リング１３、モータ１６（図４参照）、ギア列３０（図４参照）等を備えている。
【００１４】
外固定筒４は、レンズ鏡筒１２０の外周側であってマウント部３側に設けられた略円環形状の部材である。外固定筒４の外周面には、ズーム環５の回転量の表示に用いられる突起４１（図１及び後述の図５参照）が設けられている。
【００１５】
ズーム環５は、略円筒形状であり、レンズ鏡筒１２０の外周側であって外固定筒４のＺプラス側に設けられた部材である。ズーム環５は、光軸回りに回転可能であるが、光軸方向には移動不可能に設けられている。このズーム環５が光軸回りに所定量回転することにより、カム筒８等が駆動され、レンズ鏡筒１２０のズーム動作を行うことができる。ズーム動作は、ズーム環５を、図１に示すようにを矢印Ｃ方向又は矢印Ｄ方向へ回転させることにより手動で行われる。しかし、フォーカシングはカメラボディ１１０に備えられたＣＰＵからの信号によって制御され、手動で行うことはできない。
【００１６】
ズーム環５の内周側から延びる突出部５ａには、連動板６が固定されている（図２参照）。この連動板６には、溝６ａが形成され、溝６ａにはカム筒８のカムピン８ａが係合しており、ズーム環５の回転をカム筒８に伝えるようになっている。
【００１７】
内固定筒７は、連動板６の内径側に配置された略円筒形状の部材である。内固定筒７には、カム筒８のカムピン８ｂや移動枠９のカムピン９ｂが係合するカム溝がそれぞれ設けている。
【００１８】
カム筒８は、内固定筒７の内径側に配置された略円筒形状の部材である。カム筒８には、移動枠９のカムピン９ｂや第２保持枠１０のカムピン１０ａが係合するカム溝が形成されている。また、カム筒８の外周面には、内固定筒７を介して連動板６とカム係合する上述のカムピン８ａ、内固定筒７とカム係合するカムピン８ｂが設けられている。
【００１９】
移動枠９は、カム筒８の内径側に設けられた略円筒形状の部材である。移動枠９には、第２保持枠１０のカムピン１０ａがカム係合するカム溝が形成されている。また、移動枠９のＺマイナス側の外周面には、カム筒８及び内固定筒７とカム係合するカムピン９ｂが形成され、Ｚプラス側の外周面には、後述の第１保持枠１２とカム係合するカムピン９ａが形成されている。
【００２０】
第２保持枠１０は、移動枠９の内径側であってＺマイナス側に配置された略円環形状の部材である。第２保持枠１０は、外周側に形成されたカムピン１０ａが移動枠９及びカム筒８のカム溝とカム係合しており、ズーム環５の光軸回りの回転に連動して、光軸Ｏに沿って移動可能である。
【００２１】
筒部材１１は、径方向において第１保持枠１２とズーム環５との間に設けられている。この筒部材１１は、ズーム環５の回転に連動して、光軸方向に移動可能に設けられている。
【００２２】
第１保持枠１２は、ズーム環５より内径側であって光軸方向において被写体側に配置された略円環形状の部材である。第１保持枠１２は、移動枠９のカムピン９ａとカム係合しており、ズーム動作時には、ズーム環５の光軸回りの回転に連動する移動枠９の光軸方向の移動に伴い、光軸方向に移動可能である。フォーカス動作時には、第１レンズ群１のみが、光軸方向に移動可能であり、第２レンズ群２は光軸方向には移動しない。
【００２３】
第１保持枠１２は、光軸Ｏに沿ってＺマイナス側に延びる腕部１２ａ（図４参照）を有している。この腕部１２ａは、フォーカス連動リング１３に形成された溝部１３ａ（図４（ｂ）参照）に係合しており、フォーカス動作時等には、フォーカス連動リング１３の回転によって光軸方向へ移動可能である。
【００２４】
フォーカス連動リング１３は、内固定筒７の外径側に配置された略円環形状の部材である。フォーカス連動リング１３には、光軸方向においてギア列３０とは反対側に光軸方向を長手方向とする上述の溝部１３ａが形成され、この溝部１３ａに、被写体側から第１保持枠１２の腕部１２ａが係合している。
【００２５】
モータ１６は、カメラボディ１１０からの指示に基づいて、第１レンズ群１を光軸方向に駆動させる駆動力を発生するモータである。モータ１６は、光軸方向においてレンズ鏡筒１２０のＺマイナス側であって、径方向において内固定筒７とズーム環５との間となる空間に配置されている。モータ１６を起動するための電力は、カメラボディ１１０から供給される。
【００２６】
モータ１６の駆動力は、ギア列３０を介してフォーカス連動リング１３へ伝達される。モータ１６は、例えば、回転型の超音波モータを用いてもよいし、リニア型のモータや、超音波領域の振動を利用しない電気機械変換アクチュエータ等の他のアクチュエータ等を用いてもよい。
【００２７】
図５は、ズーム環５の操作範囲を説明する図である。図５では、ズーム環５及び外固定筒４をレンズ鏡筒１２０の外周側から観察した状態を展開して示している。外固定筒４は光軸回りには回転不可能であり、ズーム環５が矢印に沿って光軸回りに回転可能であるが、理解を容易にするために、図５では、外固定筒４の突起４１が矢印に沿って移動するかのように示している。
【００２８】
外固定筒４の突起４１は、レンズ鏡筒１２０が、ズーム環５の回転により撮影領域Ａ内にあるか収納領域Ｂ内にあるかを使用者に示す指示部材である。突起４１がズーム環５の指標「Ｗ」と指標「Ｔ」の間に位置する場合は、レンズ鏡筒１２０が、撮影領域Ａ内にあることを示し、突起４１がズーム環５の指標「Ｗ」と指標「○」の間に位置する場合は、レンズ鏡筒１２０が収納領域Ｂ内にあることを示している。
【００２９】
また、ズーム環５の突起４１と指標「Ｗ」が一致した状態は、レンズ鏡筒１２０がワイド端（図３参照）であることを示し、突起４１と指標「Ｔ」が一致した状態は、レンズ鏡筒１２０がテレ端（図４参照）であることを示している。そして突起４１と指標「○」とが一致した状態は、レンズ鏡筒１２０が最短まで短縮された収納状態（図２参照）であることを示している。
【００３０】
ズーム環５は、矢印Ｃ方向及び矢印Ｄ方向に回転することができるが、撮影時には、ズーム環５の回転は、撮影領域Ａの範囲内（ワイド端の状態からテレ端の状態まで）でのみ回転可能に制限されている。この回転を制限する回転制限機構については後述する。
【００３１】
そして、回転制限が解除されると、ズーム環５は、収納領域Ｂの範囲内へ回転可能となる。ズーム環５を収納領域Ｂへ回転させると、レンズ鏡筒の鏡筒長を撮影可能な状態より短くすることができ、「○」の位置まで回転させたとき、レンズ鏡筒の鏡筒長が最短となる。
【００３２】
ここで、カメラボディ１１０にレンズ鏡筒１２０が装着されている場合は、モータ１６によって第１レンズ群１は至近の繰り出した状態（図３（ｂ）及び図４（ｂ）参照）から、無限の鏡筒長が短縮した状態（図３（ａ）及び図４（ａ）参照）に移動可能である。しかし、カメラボディ１１０からレンズ鏡筒１２０が取り外された場合、モータ１６による第１レンズ群１の駆動ができなくなる。
【００３３】
そのため、本実施形態では、レンズ鏡筒１２０の鏡筒長を短縮する操作を行う際に、第１レンズ群１とモータ１６との連結を切り離し、第１レンズ群１とズーム環５とを連結に切り換える切換機構２０を備える。切換機構２０は、切換部２０Ａと、第１レンズ群１とズーム環５とを連結する第１連結部２０Ｂと、第１レンズ群１とモータ１６との間の駆動力を伝達する第２連結部２０Ｃとを備える。図６から図８は切換部２０Ａと第１連結部２０Ｂとを説明する図であり、図９は切換部２０Ａと第２連結部２０Ｃとを説明する図である。
【００３４】
図６から図９に示すように、切換部２０Ａはスライドスイッチ２３と、スライドスイッチ２３のＺマイナス側端部から延びる板ばね２５とを有する。スライドスイッチ２３は、外固定筒４の一部分４ｄの表面をＺ方向に滑動するものである。その部分４ｄの表面には、斜面を形成して窪み４ｅが設けられている。スライドスイッチ２３をＺプラス方向に移動すると、板ばね２５は斜面を滑って窪み４ｅの内部に入り込む。
スライドスイッチ２３の一部は、外固定筒４の外部に露出していて、手動で操作が行える。縮筒するときは、ズームリング５をワイド位置まで回転させ、スライドスイッチ２３をＺ（＋）方向へ移動させ、その状態を手で保持したまま、ズームリング５を縮筒領域へ回転させる。
【００３５】
図６は、レンズ鏡筒１２０が図３（ｂ）に示すように、ワイド端において至近に合焦した状態（第１レンズ群１が繰り出した状態）であって、且つズーム環５とフォーカス連動リング１３（すなわち第１レンズ群１）とが連結していない状態を示す図である。この場合、後述するが、図９（ａ）に示すように第２連結部２０Ｃにより第１レンズ群１とモータ１６とは連結されている。
【００３６】
図７は、図６と同様に図３（ｂ）の状態であるが、ズーム環５とフォーカス連動リング１３（すなわち第１レンズ群１）とを連結させた場合を示す図である。この場合、後述するが、図９（ｂ）に示すように、第２連結部２０Ｃにより第１レンズ群１とモータ１６との間の動力伝達は遮断される。図８は、図７の状態でズーム環５を回転した図であって、図２に示す収納状態となったときの図である。
【００３７】
図６により第１連結部２０Ｂを説明する。第１連結部２０Ｂは、スライドスイッチ２３から延びる第１延在部２６と、第１延在部２６の端部からＺプラス方向に延びる第１軸部２２とを備える。
【００３８】
第１連結部２０Ｂはさらに、図６の状態において、第１軸部２２とＺ方向の同一直線上に配置される第２軸部２７と、第２軸部２７のＺマイナス側に接続された第１回転制限部２１と、第２軸部２７のＺプラス側に接続された第２回転制限部２８と、第２軸部２７が挿通されるとともにズーム環５のＺプラス側端部に固定された固定部２９と、第２軸部２７における固定部２９と第１回転制限部２１との間に挿通されたコイルばね２４とを備える。
【００３９】
一方、外固定筒４には、ワイド端制限壁４ａとテレ端制限壁４ｂとが設けられている。第１軸部２２はワイド端制限壁４ａに固定され、光軸方向にのみの移動に制限されている。上述のように固定部２９はズーム環５に固定されているので、図６の状態でズーム環５が図中矢印方向に回転すると、第１回転制限部２１、コイルばね２４、第２軸部２７及び第２回転制限部２８も矢印方向に回転する。図６の状態において第１軸部２１は、外固定筒４のワイド端制限壁４ａとテレ端制限壁４ｂの間に位置するので、ズーム環５の回転はワイド端制限壁４ａとテレ端制限壁４ｂとの間に制限される。
【００４０】
また、図中、７ｃは、内固定筒７と一体又は内固定筒７に固定された進入防止部である。この進入防止部７ｃにより、図６の状態でズーム環５が矢印方向に回転した場合における第２回転制限部２８のフォーカス連動リング１３側への移動が防止される。
【００４１】
フォーカス連動リング１３には、壁部１３ｂ，１３ｃによって形成される切り欠き部１３ｄが設けられている。図６の状態で、スライドスイッチ２３をＺプラス方向にスライドさせると、スライドスイッチ２３に連結されている第１軸部２２によって押されて第１回転制限部２１は外固定筒４の端面よりも前に押し出される。これにより、第２回転制限部２８は進入防止部７ｃの端部を通って壁部１３ｂと接するようにして切り欠き部１３ｄに入り込む。図７はこのときの状態を示したものである。
【００４２】
図７の状態においてスライドスイッチ２３に備えられた板ばね２５は、外固定筒４の上述の部分４ｄに設けられた斜面を滑り、窪み４ｅに入り込む。コイルばね２４のスラスト方向の力量をＦ１、板ばね２５が部分４ｄの斜面を乗り上げるために必要な光軸方向の力量をＦ２とすると、二つのばねの力量の関係は、常にＦ１＞Ｆ２となるように設定されている。よって、第１回転制限部２１と第１軸部２２とが接している図６の場合、スライドスイッチ２３を指でスライドさせて図７の状態としても、指を離せば、板ばね２５は部分４ｄ上面へ戻ることになる。一方、図８に示すように、第１回転制限部２１と第１軸部２２とが接していない場合、すなわちレンズ鏡筒１２０が図５の収納領域Ｂにある場合は、スライドスイッチ２３及び第１軸部２２はＺプラス方向にスライドされた状態で保持される。
【００４３】
第１回転制限部２１が押し出されている図７の状態になると、後述するが図９（ｂ）に示すようにフォーカス連動リング１３とモータ１６の連結も切断される。したがって、ズーム環５を鏡筒長が短縮する側（図７における矢印の方向、図５の収納領域Ｂ）へ回転させると、第２回転制限部２８は壁部１３ｂを押し、フォーカス連動リング１３が回転する。この間、第１回転制限部２１の後側端面は、ばね２４の付勢によって、外固定筒４のＺプラス側端面４ｃと当接しているため、切り欠き部１３ｄから抜けることはない。
【００４４】
内固定筒７には、無限側制限壁７ａと至近側制限壁７ｂとが設けられている。またフォーカス連動リング１３には、無限側制限壁７ａと至近側制限壁７ｂとの間を移動可能な突起部１３ｆが設けられており、この突起部１３ｆによってフォーカス連動リング１３の回転が無限側制限壁７ａと至近側制限壁７ｂとの間に規制される。
【００４５】
フォーカス連動リング１３の回転角をθ２、ズーム環５の回転角をθ１とすると、本実施形態ではθ１とθ２とは同じである。しかし、θ２がθ１より小さい場合は、例えば図７の状態で点線で示すように第２回転制限部２８の幅θ３だけ小さくして壁部１３ｂとの間にθ１とθ２との間の差の分だけ隙間θ３を設ければよい。一方、θ２がθ１より大きい場合は、第１保持枠１２を手動で移動させる。
【００４６】
図９は、第１レンズ群１とモータ１６との間の駆動力を伝達する第２連結部２０Ｃを説明する図であり、フォーカス連動リング１３に設けられた大ギア１３ｅとの関係として示す。フォーカス連動リング１３には、図４に示すように、第１レンズ群１を保持する第１保持枠１２の腕部１２ａが連結しているため、大ギア１３ｅが回転するとフォーカス連動リング１３が回転し、第１レンズ群１も回転する。図９（ａ）は、レンズ鏡筒１２０が撮影可能な状態であって、第２連結部２０Ｃにより第１レンズ群１とモータ１６とが連結されている状態、図６（ｂ）は、第１レンズ群１とモータ１６とが切断された状態を示す。
【００４７】
第２連結部２０Ｃは、モータ１６の出力に連結されたギア列３０として、第１ギア３１、第１ギア３１にかみ合う第２ギア３２を備える。また第２連結部２０Ｃは、スライドスイッチ２３から延びる第２延在部３３と、第２延在部３３の端部からＺ方向に延びる第３軸部３４と、を備える。第３軸部３４には、第３ギア３５と第４ギア３６とが嵌合され、第４ギア３６は、フォーカス連動リング１３の大ギア１３ｅとかみ合っている。
【００４８】
図９（ａ）に示す場合、第３ギア３５と第２ギア３２とがかみ合っており、モータ１６の回転は、第１ギア３１、第２ギア３２、第３ギア３５、第４ギア３６、大ギア３１ａと伝達され、フォーカス連動リング１３が回転される。フォーカス連動リング１３が回転すると、図４に示すように、第１レンズ群１の第１保持枠１２が回転し、第１保持枠１２は回転に伴い光軸方向に移動して、フォーカシングが行われる。
【００４９】
レンズ鏡筒１２０がワイド端にある場合（図５で示すようにズーム環５の突起４１と指標「Ｗ」が一致した状態、図６の状態）において、レンズ鏡筒１２０を収納状態にする場合、スライドスイッチ２３を図９（ｂ）に示すように、Ｚプラス方向に移動させる。このとき、スライドスイッチ２３の板ばね２５は、外固定筒の部分４ｄの斜面によってＺプラス方向に保持される。このとき、第３ギア３５もＺプラス方向に移動するので、第２ギア３２と第３ギア３５との間の係合が解除される。したがって、モータ１６の回転はフォーカス連動リング１３の大ギア１３ｅに伝達されなくなる。
【００５０】
このようにモータ１６とフォーカス連動リング１３との駆動力伝達が切断される場合、スライドスイッチ２３が移動しているので、第１連結部２０Ｂも図６の状態から図７の状態となっている。すなわち、前述のようにズーム環５と、フォーカス連動リング１３とが連結され、ズーム環５を鏡筒長が短縮する側（図７における矢印の方向、図５の収納領域Ｂ）へ回転させると、フォーカス連動リング１３が回転する。
【００５１】
以上、本実施形態によれば、以下の効果を奏することができる。
（１）ワイド端において、スライドスイッチ２３を移動させることにより、モータ１６とフォーカス連動リング１３との駆動力伝達が切断される。これとともに、ズーム環５と、フォーカス連動リング１３とが連結される。これによって、ズーム環５を回転することによりフォーカス連動リング１３を回転させることが可能となる。したがって、第１レンズ群１が繰り出した状態でレンズ鏡筒１２０がカメラボディ１１０から取り外されたときでも、第１レンズ群１を収納してレンズ鏡筒１２０の鏡筒長を短縮することができる。レンズ鏡筒１２０が最短状態となることで、携帯性を向上させることができる。
【００５２】
（２）本実施形態では、レンズ鏡筒１２０の鏡筒長を短縮する操作を行う際に、フォーカス連動リング１３とモータ１６との連結を切り離し、フォーカス連動リング１３とズーム環５とが連結するように切り換えることができるが、この操作は、スライドスイッチ２３を移動させるだけであるので容易である。
【００５３】
（３）外固定筒４の外周面には、ズーム環５の回転量の表示に用いられる突起４１が設けられているため、レンズ鏡筒１２０がどの状態にあるかを認識することができる。
【００５４】
（４）撮影領域Ａにおいて切換機構２０の第１回転制限部２１が、外固定筒４のワイド端制限壁４ａとテレ端制限壁４ｂの間に配置されているので、ズーム環５の回転をワイド端とテレ端との間に制限することができる。このため、ズーム環５が、合焦不可能な収納領域Ｂ側へ回転することがなく、使用者が、撮影時に収納領域Ｂ側へズーム環５を回転させてしまうことを防ぐことができる。
【００５５】
（５）レンズ鏡筒１２０が撮影領域Ａにある場合に、内固定筒７と一体又は内固定筒７に設けられた進入防止部７ｃにより、図６の状態における第２回転制限部２８のフォーカス連動リング１３側への移動を防止することができる。
【００５６】
（変形形態）
以上説明した実施形態に限定されることなく、種々の変形や変更が可能である。
（１）至近に合焦する場合に最も第１レンズ群１が被写体側に移動する形態である例を示したが、これに限らず、例えば、無限遠に合焦する場合に最も第１レンズ群１が被写体側へ移動する形態であってもよい。
【００５７】
（２）各実施形態では、レンズ鏡筒１２０は、第１レンズ群１と第２レンズ群２の２つのレンズ群を有する例を示したが、これに限らず、レンズ群は３つ以上あってもよい。
なお、上述の実施形態及び変形形態は、適宜組み合わせて用いることもできるが、詳細な説明は省略する。また、本発明は以上説明した各実施形態によって限定されることはない。
【図面の簡単な説明】
【００５８】
【図１】本発明の一実施形態のカメラを示す図である。
【図２】鏡筒長が最短となる収納状態を示すレンズ鏡筒の断面図である。
【図３】ワイド端におけるレンズ鏡筒の断面図であり、（ａ）無限遠に合焦した状態、（ｂ）は至近に合焦した状態を示す。
【図４】テレ端におけるレンズ鏡筒の断面図であり、（ａ）無限遠に合焦した状態、（ｂ）は至近に合焦した状態を示す。
【図５】レンズ鏡筒のズーム環の操作範囲を説明する図である。
【図６】切換部と第１連結部とを説明する図である。
【図７】切換部と第１連結部とを説明する図である。
【図８】切換部と第１連結部とを説明する図である。
【図９】切換部と第２連結部とを説明する図である。
【符号の説明】
【００５９】
１：第１レンズ群、２：第２レンズ群、５：ズーム環、１２：第１保持枠、１３：フォーカス連動リング１３、２０：切換機構、２０Ａ：切換部、２０Ｂ：第１連結機構、２０Ｃ：第２連結機構、１００：カメラ、１２０：レンズ鏡筒
【図１】
2010113108.tif 000003
【図２】
2010113108.tif 000004
【図３】
2010113108.tif 000005
【図４】
2010113108.tif 000006
【図５】
2010113108.tif 000007
【図６】
2010113108.tif 000008
【図７】
2010113108.tif 000009
【図８】
2010113108.tif 000010
【図９】
2010113108.tif 000011